(57)【特許請求の範囲】
【請求項１】
一端が筐体側に軸着された回動蓋によって筐体の角部付近に形成した開口部を開閉し、その閉鎖状態で防水機構を構成する筐体の防水装置であって、前記回動蓋は、前記筐体側に軸着されて前記開口部との間で防水機構を構成する中蓋と、前記中蓋の上面と両側面と前端面をそれぞれ上面板部と両側板部と前端板部で覆い、両側板部で前記中蓋の両側面を摺動可能な状態で把持すると共に、前端板部の内壁面側に前記筐体の側壁部に形成した凹部に嵌合する凸部を形成した外蓋とからなり、前記中蓋の上面には前記摺動方向と平行な直線部分とそれに垂直に交わる円弧部分とが連続した凹溝が形成されており、前記外蓋は、その上面板部に形成した円孔内に、表側面に回動操作用のツマミを、裏面側に前記中蓋側の凹溝に内嵌する短柱状突起を形成した回動円板を外側へ離脱しない構成で内嵌せしめており、前記外蓋の短柱状突起と前記中蓋の凹溝との関係は、前記外蓋が前記中蓋に対して移動可能な範囲で短柱状突起が凹溝の直線部分を移動可能とされ、また前記外蓋がその前端板部の凸部を前記筐体の凹部に嵌合させる位置に移動した際に短柱状突起が円弧状部分へ移動可能となるように設定されており、且つ、前記回動円板には前記外蓋の上面板部との間には、前記回動円板を回転させて短柱状突起を円弧状部分へ移動させた際の所定回転角度において、前記回動円板の回動を拘束するクリップ式のロック機構を設けたことを特徴とする筐体の防水装置。
【発明の詳細な説明】
【０００１】
【発明の属する技術分野】
本発明は筐体の防水装置に係り、携帯型電子機器等における充電池や乾電池の収納部の蓋に関する防水構造に関する。
【０００２】
【従来の技術】
従来から、携帯用無線通信機やカメラ等では乾電池や充電池の収納部の開口部に対してスライド方式で簡易に着脱できる蓋を設けている。
その種の蓋の着脱方式にも各種の構成が採用されているが、一般的には電池収納部の開口部が本体筐体の角部に設けられており、挿入方向の端面に爪を形成した蓋を本体筐体側に形成したスライド方向の溝で案内しながら前記爪を本体側筐体に形成されている孔に係合させ、そのスライド方向についてロックするクリップ機構が作動するという構成が多用されている。
【０００５】
【発明が解決しようとする課題】
ところで、前記のスライド方式の蓋で防水構造が採用できないのは、パッキンを介装するとスライド機構で案内される蓋を開口部の面に対して摺動させることができないからである。
これに対して、仮に、蓋を本体筐体側に対して軸着した回動蓋の構成にすると、開口部の面に対して垂直な方向で回動蓋と本体筐体側との係止機構を設ける必要があり、蓋の開放方向に係るロックが弱くなってパッキンの挟圧力を充分に保証できず、意図しない時に開放されてしまうような事態が生じる。
【０００７】
そこで、本発明は、電子機器やカメラ等の筐体に関する電池収納部の開口部の蓋について、簡単な操作で開閉・着脱が自在であると共に完全な防水機能を実現できる装置を提供することを目的として創作された。
【０００８】
【課題を解決するための手段】
第１の発明は、一端が筐体側に軸着された回動蓋によって筐体の角部付近に形成した開口部を開閉し、その閉鎖状態で防水機構を構成する筐体の防水装置であって、前記回動蓋は、前記筐体側に軸着されて前記開口部との間で防水機構を構成する中蓋と、前記中蓋の上面と両側面と前端面をそれぞれ上面板部と両側板部と前端板部で覆い、両側板部で前記中蓋の両側面を摺動可能な状態で把持すると共に、前端板部の内壁面側に前記筐体の側壁部に形成した凹部に嵌合する凸部を形成した外蓋とからなり、前記中蓋の上面には前記摺動方向と平行な直線部分とそれに垂直に交わる円弧部分とが連続した凹溝が形成されており、前記外蓋は、その上面板部に形成した円孔内に、表側面に回動操作用のツマミを、裏面側に前記中蓋側の凹溝に内嵌する短柱状突起を形成した回動円板を外側へ離脱しない構成で内嵌せしめており、前記外蓋の短柱状突起と前記中蓋の凹溝との関係は、前記外蓋が前記中蓋に対して移動可能な範囲で短柱状突起が凹溝の直線部分を移動可能とされ、また前記外蓋がその前端板部の凸部を前記筐体の凹部に嵌合させる位置に移動した際に短柱状突起が円弧状部分へ移動可能となるように設定されており、且つ、前記回動円板には前記外蓋の上面板部との間には、前記回動円板を回転させて短柱状突起を円弧状部分へ移動させた際の所定回転角度において、前記回動円板の回動を拘束するクリップ式のロック機構を設けたことを特徴とする筐体の防水装置に係る。
【０００９】
この発明によれば、回動蓋の外蓋を中蓋の前端側へ移動させておき、回動蓋全体を筐体の開口部側へ倒し、外蓋を中蓋の軸着側へ移動させて外蓋の前端板部の凸部を筐体の側壁部の凹部へ嵌合・係合させることにより、中蓋の下側面と筐体側の開口部との間に防水機構が構成される。
外蓋の中蓋に対する相対的移動は外蓋の両側板部と中蓋の両側面の間に構成された摺動機構によってなされるが、その移動段階では外蓋側の回動円板の短柱状突起が中蓋側の凹溝の直線部分を移動する。
次に、外蓋の凸部が筐体の凹部に嵌合・係合した段階で外蓋に内嵌している回動円板をツマミの操作によって回転させると、回動円板の短柱状突起が中蓋側の凹溝の直線部分から円弧状部分へ移動する。
そして、外蓋の上面板部と回動円板の間に構成されているクリップ式のロック機構によって回動円板の回動が拘束されると、回動円板の短柱状突起は中蓋側の凹溝の円弧状部分でロックされる。
従って、その状態では短柱状突起と凹溝の円弧状部分との係止関係によって外蓋の中蓋に対する移動が拘束され、ツマミの操作によって回動円板をロック解除させて元の方向へ回転させない限り、外蓋を移動させて外蓋の凸部と筐体の凹部との嵌合・係合状態を解除することはできない。
尚、回動蓋の開放に際しては、前記と逆の手順を実行すればよい。
即ち、本発明は、回動蓋を中蓋と外蓋の二重構成にして、前記の作動機構を具備させたことにより、充分な圧接関係による防水機構を構成でき、閉鎖状態を確実に保持すると共にその開閉操作も簡単な防水装置を実現している。
【００１３】
【発明の実施の形態】
以下、本発明の筐体の防水装置に係る実施形態を図１から図７を用いて詳細に説明する。
この実施形態はトランシーバの筐体の角部に設けられた充電池収納部の開口部とその開口部を開閉する回動蓋の間に構成される防水装置に関する。
先ず、図１の（Ａ）は筐体の開口部と回動蓋の関係を示す断面図、（Ｂ）は筐体の開口部の平面図であり、１は回動蓋、２は筐体、３は充電池収納部の開口部を示す。
【００１４】
図１（Ａ）に示すように、回動蓋１の一端は筐体２側の開口部３の近傍に構成された蝶番部４によって軸支されており、筐体２の角部側が開く態様で約９０°の範囲で回動できるようになっている。
また、回動蓋１は、前記蝶番部４を一端とした中蓋５と、その中蓋５の上面と蝶番部４側以外の側面とを覆う形態をなした外蓋６とで構成されている。
一方、筐体２側は、図１（Ｂ）に示すように、開口部３の周縁にビード７が形成されていると共に、蝶番部４側以外は開口部３の面から段差が構成されており、また角部側の中央区間では更に第二段目の段差が構成されていて、その第二段目の段差に相当する外側面には凹部８が形成されている。
【００１５】
次に、図２は回動蓋１を構成する中蓋５と外蓋６の具体的な構造を示し、同図の（Ａ）は平面図、（Ｂ）は断面図、（Ｃ）は底面図である。
各図から明らかなように、外蓋６は中蓋５を覆う態様になっているが、外蓋６の両側板部２１,２２の内壁面にはそれぞれ突出片（２４,２５）,（２６,２７）が形成されていて、それらと上面板部２３との間に中蓋５を介装させており、外蓋６は中蓋５に対して平行にスライドできる機構になっている。
【００１６】
そして、中蓋５の下面側には、前記の蝶番部４を中心に回転して筐体２側の開口部３に当接したときに、その開口部３の内側へ隙間を介して内嵌するビード２８と開口部３側のビード７の外側へ隙間を介して外嵌するビード２９が形成されており、各ビード２８,２９の間に平板状のパッキン３０が全周にわたって装填されており、そのパッキン３０の幅方向の略中央が筐体２側の開口部３にあるビード７と当接する位置関係になっている。
【００１７】
一方、中蓋５の上面は外蓋６の上面板部２３と当接してスライドするが、その上面にはスライド方向と平行な直線状の凹溝部３１とそれに垂直に交わって連続する円弧状の凹溝部３２が形成されており、また中蓋５の上面の蝶番部４側へ寄った位置には係止突部３３が形成されている。
尚、それらの位置関係については後記の外蓋６側の構造との相対的関係において説明する。
【００１８】
次に、外蓋６には、その上面板部２３の下側面に座グリ部を伴った円孔３４が形成されており、その形成領域を含む領域の板厚が上面側に厚くなっている。
また、円孔３４の外周側の一部区間には周方向に沿った凹部３５が座グリ深さと同一の深さで形成されており、且つその凹部３５の底面における周方向の端部近傍には小突起３６,３７が形成されている。
【００１９】
前記の円孔３４には、その段差部に周縁部が係合する態様で回動円板３８が内嵌しており、その回動円板３８の底面は外蓋６の上面板部２３の下側面と一致し、中蓋５の上面と当接するようになっている。
そして、回動円板３８の底面には短柱状突起３９が立設形成されていると共に、その側面には前記の凹部３５側へ突出した係止板４０が形成されている。
一方、回動円板３８の上面側は中央を隆起させた態様でその両側部が凹部になっており、ツマミが構成された形態をなしている。
【００２０】
また、外蓋６の上面板部２３における下側面の蝶番部４側には中蓋５側の係止突部３３が嵌る凹部４１がスライド方向に沿って形成されている。
更に、外蓋６の前端板部４２は、その中央区間において筐体２側の第二段目の段差に相当する形状分だけ下側へ長く形成されており、その先端部分の内壁面側には筐体２側の凹部８に嵌合する凸部４３が形成されている。
【００２１】
前記の中蓋５と外蓋６の構成において、それらの機素の位置関係と機構的関係は、図２（Ｂ）のＵ−Ｕ矢視断面図である図３と、Ｌ−Ｌ矢視断面図である図４を用いてより具体的に説明される。
図３に示すように、回動円板３８は円孔３４に内嵌しており、係止板４０を周方向の凹部３５に突出させて回動できるようになっており、その回動限では係止板４０が小突起３６,３７を乗り越えて、逆方向への回動がクリップ式に軽く拘束されるようになっている。
また、外蓋６の凹部４１には中蓋５の係止突部３３が嵌っており、外蓋６は係止突部３３が凹部４１内を移動可能な範囲でスライドでき、その移動限では係止されるために外蓋６がスライドした際に中蓋５から外れてしまうことを防止する機能を有している。
もっとも、この係止突部３３と凹部４１とからなる係止機構は補助的なものであって必須の機構ではない。
【００２２】
一方、図４によると、中蓋５側に形成されている凹溝部３１,３２と外蓋６側の回動円板３８の短柱状突起３９との位置関係及び係止機構が明確に理解できる。
短柱状突起３９が直線状の凹溝部３１内にある状態では、外蓋６は中蓋５に対してスライドさせることができるが、回動円板３８を回転させて短柱状突起３９を円弧状の凹溝部３２内へ移動させると、外蓋６は拘束されてスライドさせることができなくなる。
即ち、凹溝部３２は短柱状突起３９に対するフック機能を有し、回動円板３８を回転させることでそのフック機能を有効／無効に切り換えることができる。
【００２３】
以上の機構に基づいて、この実施形態では回動蓋１によって筐体２の開口部３の防水封鎖を次のような操作手順で行える。
先ず、図１のように中蓋５に対して外蓋６を前方限まで引き出しておいた状態で、図５に示すように筐体２の開口部３側へ回転させると、中蓋５のパッキン３０が開口部３のビード７に当接して開口部３が閉じられる。
【００２４】
次に、図５の状態で外蓋６を下側へ付勢しながら筐体２側へ押圧すると、外蓋６は中蓋５に対してスライドして蝶番部４側へ移動する。
即ち、図１と図５の状態では外蓋６の回動円板３８の短柱状突起３９は中蓋５の直線状の凹溝部３１内にあるために、外蓋６は中蓋５に対してスライドさせることができる。
従って、図６に示すように、外蓋６の前端板部４２の凸部４３が筐体２側に形成されている凹部８に嵌合し、開口部３の周囲も外蓋６によって完全に覆われた状態となる。
この段階で、外蓋６の前端板部４２が筐体２側に係止されたことになるため、中蓋５のパッキン３０と筐体２の開口部３のビード７が圧接された状態でシールされるが、外蓋６は中蓋５に対して前方へスライド可能な状態のままであり、前記の凸部４３と凹部８の嵌合状態が解除されて図５の状態から図１の状態へ戻る可能性がある。
【００２５】
そこで、図６の状態で回動円板３８を回転させる。
この回転操作は回転円板３８の上面側がツマミとして形成されているために容易に行える。
そして、回転円板３８が回転すると、図７に示すように、図６の状態で中蓋５の直線状の凹溝部３１と円弧状の凹溝部３２との連続部分にあった回転円板３８の短柱状突起３９が円弧状の凹溝部３２側へ移動し、またその回動限においては回動円板３８の係止板４０が凹部３５に形成されている小突起３７を乗り越えて逆方向への回転が軽く拘束される。
従って、外蓋６の中蓋５に対するスライド方向への移動が拘束され、回動円板３８を逆方向へ回転操作しない限り図６の状態が維持されることになる。
当然に、その状態ではパッキン３０に対して開口部３の周縁部に形成されたビード７が圧接しており、完全な防水機能が実現されている。
【００２６】
尚、回動蓋１を前記の防水封鎖状態から解除して筐体２の開口部３するには、回動円板３８を逆方向に回転させて短柱状突起３９を中蓋５の直線状の凹溝部３１へ戻し、外蓋６を手前に引いて図５の状態にした後に回動蓋１を開放させれば元の図１の状態になる。
【００３６】
【発明の効果】
本発明の筐体の防水装置は、以上の構成を有していることにより、次のような効果を奏する。
電子機器やカメラの電池収納部のように筐体の角部に開口部が構成されている場合において、完全な防水機能を具備させて簡単な操作で開閉することが可能な蓋の適用を可能にする。
また、この発明ではクリップ式にロックされる回動円板を操作しなければ蓋を開放できず、従来のスライド方式による蓋にみられるように、意図しない外力の作用によって容易に外れてしまうこともない。
【図面の簡単な説明】
【図１】  （Ａ）は実施形態に係る筐体の開口部と回動蓋の関係を示す断面図、（Ｂ）は筐体の開口部の平面図である。
【図２】  （Ａ）は回動蓋の平面図、（Ｂ）は同断面図、（Ｃ）は同底面図である。
【図３】  図２（Ｂ）のＵ−Ｕ矢視断面図である。
【図４】  図２（Ｂ）のＬ−Ｌ矢視断面図である。
【図５】  回動蓋を筐体の開口部側へ倒した状態を示す断面図である。
【図６】  回動蓋の外蓋を中蓋に対してスライドさせて外蓋を筐体に係止させた状態を示す断面図である。
【図７】  図６の状態で回転円板を回転させて回転円板の短柱状突起が中蓋の直線状の凹溝部側から円弧状の凹溝部側へ移動する過程を示す図であり、図２（Ｂ）のＬ−Ｌ矢視断面図に相当するものである。
【符号の説明】
１…回動蓋、２…筐体、３…開口部、４…蝶番部、５…中蓋、６…外蓋、７…ビード、８…凹部、２１,２２…側板部、２３…上面板部、２４,２５,２６,２７…突出片、２８,２９…ビード、３０…パッキン、３１…直線状の凹溝部、３２…円弧状の凹溝部、３３…係止突部、３４…座グリ部を伴った円孔、３５…凹部、３６,３７…小突起、３８…回動円板、３９…短柱状突起、４０…係止板、４１…凹部、４２…前端板部、４３…凸部。
【図１】
0003786849.tif 000002
【図２】
0003786849.tif 000003
【図３】
0003786849.tif 000004
【図４】
0003786849.tif 000005
【図５】
0003786849.tif 000006
【図６】
0003786849.tif 000007
【図７】
0003786849.tif 000008